(57)【特許請求の範囲】
【請求項１】
可動棚８が、庫内３に配置したガイドレール１２にスライド移動可能に支持されることで、冷蔵庫本体１の前面に設けた開口１ａの前方へ水平姿勢で引き出せるようになっている業務用冷蔵庫であって、
ガイドレール１２は、上壁１２ａおよび下壁１２ｃを有しており、
可動棚８は、その前後部に小ローラー１４・１５をそれぞれ備えるとともに、これらの小ローラー１４・１５よりも大径の大ローラー１６を後側の小ローラー１５の後方に備えており、
各ローラー１４・１５・１６が、ガイドレール１２の上下壁１２ａ・１２ｃ間においてガイドレール１２の下壁１２ｃ上を転動することで、可動棚８が前後方向へスライド移動するようになっており、
ガイドレール１２の上下壁１２ａ・１２ｃ間であってガイドレール１２の前部に、ストッパー１７・１８を上下にそれぞれ配置しており、
上側ストッパー１８とガイドレール１２の下壁１２ｃの間隔が小ローラー１４・１５の径よりも大きいとともに大ローラー１６の径よりも小さいことで、小ローラー１４・１５のみが上側ストッパー１８の下側を通過可能になっており、
下側ストッパー１７とガイドレール１２の上壁１２ａの間隔が小ローラー１４・１５の径よりも大きいことで、小ローラー１４・１５が下側ストッパー１７を乗り越えて前後方向へ移動可能になっており、
後側の小ローラー１５が、上側ストッパー１８の下側を通過するとともに下側ストッパー１７を乗り越えて前方へ移動した状態では、大ローラー１６が上側ストッパー１８によって前方への移動が規制されるとともに後側の小ローラー１５が下側ストッパー１７によって後方への移動が規制されて、可動棚８が前記引き出された状態で保持されることを特徴とする業務用冷蔵庫。
【請求項２】
ガイドレール１２の後部に、大ローラー１６をガイドレール１２の上下壁１２ａ・１２ｃ間から離脱させるための離脱部１２ｅを設けた請求項１記載の業務用冷蔵庫。
【発明の詳細な説明】
【０００１】
【発明の属する技術分野】
本発明は、可動棚を前方へ引き出すことで、被貯蔵物を可動棚上に容易に載置できるようにした業務用冷蔵庫に関する。
【０００２】
【従来の技術】
従来、業務用冷蔵庫などにおいて、被貯蔵物の庫内への出し入れを容易にするために、被貯蔵物を収納する収納箱（可動棚）を前後方向へスライド移動可能にし、可動棚を庫内から前方へ引き出して被貯蔵物を載置したのちに、この可動棚を庫内へ押し込んで収納するものが知られている（特開平６−１０１９５８号公報など）。
【０００３】
【発明が解決しようとする課題】
可動棚を前方へ引き出した状態で可動棚を確りと保持できないと、可動棚が前後方向に動いて可動棚上に被貯蔵物を載置しにくいことになる。このため、可動棚を前方へ引き出した状態で可動棚を保持する構造が必要となるが、作業性の点から保持操作および保持解除の操作が容易な構造にする必要がある。また、この構造を簡単にして、冷蔵庫のコストアップを抑える必要がある。
【０００４】
一方、庫内の清掃などの際には、可動棚を簡単な操作で庫内から取り出せるようにする必要があるが、可動棚の取り出しの構造を簡単にして冷蔵庫のコストアップを抑える必要もある。
【０００５】
本発明の目的は、前方へ引き出した可動棚を確りと保持できながら保持操作および保持解除の操作が容易なうえ、かかる構造を簡単にすることにある。本発明の目的は、可動棚を簡単な操作で庫内から取り出せるようにすることにある。
【０００６】
【課題を解決するための手段】
本発明が対象とする業務用冷蔵庫は、可動棚８が、庫内３に配置したガイドレール１２にスライド移動可能に支持されることで、冷蔵庫本体１の前面に設けた開口１ａの前方へ水平姿勢で引き出せるようになっている。ここでの冷蔵庫には、冷凍庫や冷凍冷蔵庫や急速冷却庫などが含まれる。
【０００７】
本発明では、ガイドレール１２は上壁１２ａおよび下壁１２ｃを有しており、可動棚８は、その前後部に小ローラー１４・１５をそれぞれ備えるとともに、これらの小ローラー１４・１５よりも大径の大ローラー１６を後側の小ローラー１５の後方に備えている。各ローラー１４・１５・１６は、ガイドレール１２の上下壁１２ａ・１２ｃ間においてガイドレール１２の下壁１２ｃ上を転動することで、可動棚８が前後方向へスライド移動する。ガイドレール１２の上下壁１２ａ・１２ｃ間であってガイドレール１２の前部には、ストッパー１７・１８を上下にそれぞれ配置している。上側ストッパー１８とガイドレール１２の下壁１２ｃの間隔が小ローラー１４・１５の径よりも大きいとともに大ローラー１６の径よりも小さいことで、小ローラー１４・１５のみが上側ストッパー１８の下側を通過可能になっており、下側ストッパー１７とガイドレール１２の上壁１２ａの間隔が小ローラー１４・１５の径よりも大きいことで、小ローラー１４・１５が下側ストッパー１７を乗り越えて前後方向へ移動可能になっている。そして、後側の小ローラー１５が、上側ストッパー１８の下側を通過するとともに下側ストッパー１７を乗り越えて前方へ移動した状態では、大ローラー１６が上側ストッパー１８によって前方への移動が規制されるとともに後側の小ローラー１５が下側ストッパー１７によって後方への移動が規制されて、可動棚８が前記引き出された状態で保持されることになる。
【０００８】
またガイドレール１２の後部には、大ローラー１６をガイドレール１２の上下壁１２ａ・１２ｃ間から離脱させるための離脱部１２ｅを設けている。
【０００９】
【発明の作用効果】
本発明の業務用冷蔵庫によれば、可動棚８を前方へ引き出すときには、小ローラー１４・１５が、前方へ移動して上側ストッパー１８の下側を通過する一方で下側ストッパー１７には当接する。このとき小ローラー１４・１５が下側ストッパー１７をそれぞれ強制的に乗り越えることで、可動棚８はさらに前方への移動可能になるが、後側の小ローラー１５の後方にある大ローラー１６は上側ストッパー１８の下側を通過できないので、大ローラー１６は上側ストッパー１８の位置よりも前方への移動が規制される。一方、この状態で可動棚８が後方へ移動しようとしても、今度は後側の小ローラー１５が下側ストッパー１７に当接して後方への移動が規制される。つまり、可動棚８は、冷蔵庫本体１の前面開口１ａの前方へ引き出された状態で保持される。
【００１０】
そして、可動棚８の前部分が、冷蔵庫本体１の前面開口１ａから前方へ水平姿勢で出ているため、被貯蔵物を可動棚８上に容易に載置できる。しかも可動棚８は、前述のように保持されているために前後方向にあまりがたつかず、被貯蔵物を可動棚８上により容易に載置できる。しかも後側の小ローラー１５を、後方へ移動させつつ下側ストッパー１７を強制的に乗り越えさせるだけで、前記保持状態が容易に解除される。つまり、可動棚８の保持および保持解除は、後側の小ローラー１５を、下側ストッパー１７を乗り越えさせるだけの簡単な操作でよいため、冷蔵庫に被貯蔵物を収納する際の作業性がよいことになる。
【００１１】
かかる可動棚８の保持の構成は、可動棚８を支持する小ローラー１４・１５に、大ローラー１６および上下のストッパー１７・１８を追加する簡単な構成のため、冷蔵庫のコストアップが抑えられる。また可動棚８を引き出したときには、大ローラー１６と上側ストッパー１８との当接によって可動棚８の前方への移動が阻止されるので、可動棚８がガイドレール１２から抜け落ちることがない。
【００１２】
大ローラー１６をガイドレール１２の上下壁１２ａ・１２ｃ間から離脱させるための離脱部１２ｅを設けると、大ローラー１６を離脱部１２ｅを通してガイドレール１２外へ離脱させることで、可動棚８がガイドレール１２から外れる。従って、庫内３の清掃などの際に可動棚８を庫内３から取り外せて、庫内３の清掃などを容易に行なえる。
【００１３】
【発明の実施の形態】
図１および図２は、本発明に係る業務用冷蔵庫の要部を示している。図２に示すごとく冷蔵庫本体１の後部には冷凍機２を配置している。冷凍機２は、冷媒ガスを圧縮して液化させたのち、この液化冷媒ガスを庫内３に配置した蒸発器４に送って低温で蒸発させることで、冷蔵庫本体１の庫内３を冷却するようになっている。庫内３には冷却ファン５を配置しており、蒸発器４によって冷却された冷気を庫内３に強制循環させている。
【００１４】
冷蔵庫本体１の前面（図２では左側）には開口１ａを設けており、この前面開口１ａは揺動扉６によって開閉される。冷蔵庫本体１の上面の前部には、被貯蔵物を出し入れするための開口１ｂを設けており、この上面開口１ｂは、前後方向へスライド移動可能なスライド扉７によって開閉される。庫内３には、平板状の可動棚８（図８参照）および網棚（図示せず）を配置している。網棚は、庫内３の左右にそれぞれ配置された桟９に支持されており、桟９は、庫内３の左右の側壁３ａの前後にそれぞれ配置された棚柱１０・１１間に架け渡されている。
【００１５】
可動棚８は、庫内３の左右にそれぞれ配置されたガイドレール１２によって、前後方向（図２では左右方向）へスライド移動可能に支持されており、スライド移動させることで前面開口１ａの前方へ水平姿勢で引き出せるようになっている。左右のガイドレール１２は、前側の棚柱１０と、庫内３の左右の側壁３ａの上部後端にそれぞれ配置された可動棚用棚柱１３との間に架け渡されている。可動棚８の左右両側には、図１に示すごとく前後の小ローラー１４・１５を備えるとともに、後側の小ローラー１５の後方に大ローラー１６をそれぞれ備えている。各ガイドレール１２は、上壁１２ａ、側壁１２ｂおよび下壁１２ｃからなる断面コ字状に構成されており、可動棚８の各ローラー１４・１５・１６が、ガイドレール１２の下壁１２ｃ上を転動することで、可動棚８がガイドレール１２に沿ってスライド移動する。
【００１６】
ガイドレール１２の下壁１２ｃの前端部には、図７に示すごとく上方に突出するように折り曲げ形成された下側ストッパー１７を設けている。またガイドレール１２の上壁１２ａの前端部であって、下側ストッパー１７よりも後方となる位置には、下方に突出するように折り曲げ形成された上側ストッパー１８を設けている。
【００１７】
小ローラー１４・１５の径は、上側ストッパー１８の下端とガイドレール１２の下壁１２ｃの間隔よりも小さくなっており、小ローラー１４・１５は、上側ストッパー１８の下側を通過可能になっている。また小ローラー１４・１５の径は、ガイドレール１２の上壁１２ａと、下側ストッパー１７の上端の間隔よりも小さくなっており、各小ローラー１４・１５は、下側ストッパー１７を乗り越えることで下側ストッパー１７の上側を通過可能になっている。大ローラー１６の径は、上側ストッパー１８の下端とガイドレール１２の下壁１２ｃの間隔よりも大きくなっており、大ローラー１６は、上側ストッパー１８に当接することで上側ストッパー１８よりも前方への移動が阻止される（図７参照）。
【００１８】
各棚柱１０・１１・１３には、上下方向に所定間隔をあけて複数の掛止穴２０がそれぞれ形成されており、図３に示すようなガイドレール１２の側壁１２ｂの背面に設けたフック１２ｄや、桟９の背面に設けたフック（図示せず）が掛止穴２０に対して着脱自在に掛止装着される。そして、ガイドレール１２や桟９を掛止する掛止穴２０を選択することで、可動棚８や網棚の高さが調節される。
【００１９】
可動棚８の前後端には、被貯蔵物が可動棚８からはみ出さないように規制部８ａをそれぞれ上方へ突設させている。またガイドレール１２の上壁１２ａの後部には、所定長さに切り欠いた切欠き部（離脱部）１２ｅを形成しており、この切欠き部１２ｅを通して後側の小ローラー１５および大ローラー１６をガイドレール１２外へ離脱させるようにしている。
【００２０】
次に可動棚８の取り扱いの手順について説明する。庫内３に収納されている可動棚８（図１の状態）を前方へ引き出す場合には、作業者は、揺動扉６を開いて可動棚８を前方へ引っ張る。すると、各ローラー１４・１５・１６がガイドレール１２の下壁１２ｃ上を転動することで、可動棚８が前方へスライド移動し、前側の小ローラー１４が、上側ストッパー１８の下側を通過したのち、下側ストッパー１７に当接する。この状態で、作業者が可動棚８の前部を少し持ち上げ気味に前方へ引っ張ることで、前側の小ローラー１４が、下側ストッパー１７を乗り越える（図４の状態）。
【００２１】
前側の小ローラー１４が下側ストッパー１７を乗り越えたのち、可動棚８をさらに前方へ引っ張ることで、可動棚８の前部分が、冷蔵庫本体１の前面開口１ａの前方へ引き出される。そして可動棚８をさらに前方へ引っ張ることで、後側の小ローラー１５が、上側ストッパー１８の下側を通過したのち、下側ストッパー１７に当接する。この状態で、可動棚８の前部を持ち上げ気味に前方へ引っ張ることで、後側の小ローラー１５が、下側ストッパー１７を乗り越える（図５の状態）。後側の小ローラー１５が下側ストッパー１７を乗り越えたときには、可動棚８が水平姿勢に戻る（図６の状態）。このとき、図７に示すごとく後側の小ローラー１５および大ローラー１６の間に、ストッパー１７・１８が位置することになる。
【００２２】
この状態で可動棚８が前方へ移動しようとしても、大ローラー１６が上側ストッパー１８に当接して、可動棚８の前方への移動が阻止され、一方、可動棚８が後方へ移動しようとしても、後側の小ローラー１５が下側ストッパー１７に当接して、可動棚８の後方への移動が阻止される。つまり、可動棚８は、図６の位置で水平姿勢の状態で保持される。
【００２３】
このとき、図６に示すごとく可動棚８の前半部分が、冷蔵庫本体１の前面開口１ａから前方へ水平姿勢で出ているため、被貯蔵物を可動棚８上に容易に載置できる。被貯蔵物の載置後に、作業者が可動棚８を後方へ押すことで、前述とは逆の手順で後側の小ローラー１５および前側の小ローラー１４が下側ストッパー１７を順次乗り越えて、可動棚８が庫内３に収納される。この可動棚８上の被貯蔵物は、例えば冷蔵庫本体１の上面開口１ｂから取り出すようになっている。
【００２４】
一方、庫内３の清掃などのために、可動棚８をガイドレール１２から取り外す場合には、作業者が、可動棚８を後方へ押して、小ローラー１５および大ローラー１６を、図８に示すごとくガイドレール１２の上壁１２ａの切欠き部１２ｅの位置に合わせる。この状態で可動棚８の後部を持ち上げて、後側の小ローラー１５および大ローラー１６を切欠き部１２ｅを通してガイドレール１２外へ離脱させる（図９の状態）。そして図９の傾斜姿勢で可動棚８を前方へ移動させることで、前側の小ローラー１４がガイドレール１２の前端から抜け出て、可動棚８がガイドレール１２から外れる。
【００２５】
前記清掃などののちは、図９の傾斜姿勢で前側の小ローラー１４をガイドレール１２の前端からガイドレール１２内に差し込んで、可動棚８を後方へ移動させる。そして後側の小ローラー１５および大ローラー１６を切欠き部１２ｅからガイドレール１２内に差し入れることで、後側の小ローラー１５および大ローラー１６がガイドレール１２の下壁１２ｃ上に載る。この後、可動棚８を図１の位置に移動させる。
【図面の簡単な説明】
【図１】本発明に係る業務用冷蔵庫の要部を示す縦断面図である。
【図２】業務用冷蔵庫の縦断面図である。
【図３】図１のＡ−Ａ線矢視断面図である。
【図４】可動棚の引き出しの手順を説明するための縦断面図である。
【図５】可動棚の引き出しの手順を説明するための縦断面図である。
【図６】可動棚を引き出した状態を示す縦断面図である。
【図７】可動棚を引き出した状態での要部を示す縦断面図である。
【図８】可動棚を後退させた状態を示す上面図である。
【図９】可動棚をガイドレールから取り外す手順を説明するための縦断面図である。
【符号の説明】
１  冷蔵庫本体
１ａ  前面開口
１ｂ  上面開口
３  庫内
８  可動棚
１２  ガイドレール
１２ａ  上壁
１２ｃ  下壁
１２ｅ  切欠き部（離脱部）
１４・１５  小ローラー
１６  大ローラー
１７  下側ストッパー
１８  上側ストッパー
【図１】
0004384343.tif 000002
【図２】
0004384343.tif 000003
【図３】
0004384343.tif 000004
【図４】
0004384343.tif 000005
【図５】
0004384343.tif 000006
【図６】
0004384343.tif 000007
【図７】
0004384343.tif 000008
【図８】
0004384343.tif 000009
【図９】
0004384343.tif 000010